(57)【要約】  ビデオライン（ＬＶ１）と、ビデオライン（ＬＶn）と、ビデオライン（ＬＶ１）を通じて階調電圧が供給されるソースライン群（ＧＳ１）のソースライン（ＬＳ１）と、ビデオライン（ＬＶn）を通じて階調電圧が供給されるソースライン群（ＧＳ１）のソースライン（ＬＳｎ）と、ソースライン群（ＧＳ１）のソースライン（ＬＳｎ）に隣接し、ビデオライン（ＬＶ１）を通じて電圧が供給されるソースライン群（ＧＳ２）のソースライン（ＬＳ１）と、ソースライン群（ＧＳ１）のソースライン（ＬＳ１）に電圧が供給された状態から、ソースライン群（ＧＳ２）のソースライン（ＬＳ１）に電圧が供給された状態に遷移する間、ソースライン群（ＧＳ１）のソースライン（ＬＳｎ）に電圧を供給し続ける制御手段とを有する電圧供給装置（１）。
2007501949.tif 000002
【特許請求の範囲】
【請求項１】
互いに隣接する一対の電圧ラインと、
前記一対の電圧ラインのうちの一方の電圧ラインへの電圧の供給が停止された状態から前記一方の電圧ラインに電圧が供給された状態に遷移する間、前記一対の電圧ラインのうちの他方の電圧ラインに電圧を供給し続けるための制御手段とを有することを特徴とする電圧供給装置。
【請求項２】
前記制御手段は、前記遷移の後、前記他方の電圧ラインへの電圧の供給を阻止する、請求項１に記載の電圧供給装置。
【請求項３】
第１の中継ラインと、
第２の中継ラインと、
前記第１の中継ラインを通じて電圧が供給される第１の電圧ラインと、
前記第２の中継ラインを通じて電圧が供給される第２の電圧ラインと、
前記第２の電圧ラインに隣接し、前記第１の中継ラインを通じて電圧が供給される第３の電圧ラインと、
前記第１の電圧ラインに電圧が供給された第１の電圧供給状態から、前記第３の電圧ラインに電圧が供給された第２の電圧供給状態に遷移する間、前記第２の電圧ラインに電圧を供給し続ける制御手段と、を有することを特徴とする電圧供給装置。
【請求項４】
前記制御手段が、前記第１の中継ラインに前記第１の電圧ライン用の電圧を供給した後に前記第３の電圧ライン用の電圧を供給し、
前記制御手段が、前記第１の中継ラインに前記第１の電圧ライン用の電圧が供給された状態から前記第１の中継ラインに前記第３の電圧ライン用の電圧が供給された状態に遷移する間、前記第２の中継ラインに前記第２の電圧ライン用の電圧を供給し続けることを特徴とする請求項３に記載の電圧供給装置。
【請求項５】
前記制御手段が、前記第３の電圧ラインが前記第１の中継ラインから切り離された切断状態を、前記第３の電圧ラインが前記第１の中継ラインに接続された接続状態に切り替えるように構成され、
前記制御手段が、前記第３の電圧ラインが前記第１の中継ラインから切り離された切断状態から、前記第３の電圧ラインが前記第１の中継ラインに接続された接続状態に遷移する間、前記第２の中継ラインを通じて前記第２の電圧ラインに第２の電圧ライン用の電圧を供給し続けることを特徴とする請求項４に記載の電圧供給装置。
【請求項６】
前記制御手段が、前記第２の電圧ラインが前記第２の中継ラインから切り離された切断状態を、前記第２の電圧ラインが前記第２の中継ラインに接続された接続状態に切り替えるようにも構成され、
前記制御手段が、前記第３の電圧ラインが前記第１の中継ラインから切り離された切断状態から、前記第３の電圧ラインが前記第１の中継ラインに接続された接続状態に遷移する間、前記第２の電圧ラインが前記第２の中継ラインに接続された接続状態を保つことを特徴とする請求項５に記載の電圧供給装置。
【請求項７】
前記制御手段が、
前記第１の電圧ラインが前記第１の中継ラインに接続された接続状態と、前記第１の電圧ラインが前記第１の中継ラインから切り離された切断状態とを確立するための第１のスイッチング手段と、
前記第２の電圧ラインが前記第２の中継ラインに接続された接続状態と、前記第２の電圧ラインが前記第２の中継ラインから切り離された切断状態とを確立するための第２のスイッチング手段と、
前記第３の電圧ラインが前記第１の中継ラインに接続された接続状態と、前記第３の電圧ラインが前記第１の中継ラインから切り離された切断状態とをを確立するための第３のスイッチング手段と、
を有し、
前記制御手段が、
前記第１の電圧ラインが前記第１の中継ラインに接続され且つ前記第３の電圧ラインが前記第１の中継ラインから切り離された第１の状態から、前記第１の電圧ラインが前記第１の中継ラインから切り離され且つ前記第３の電圧ラインが前記第１の中継ラインに接続された第２の状態に遷移する間、前記第２の電圧ラインが前記第２の中継ラインに接続された接続状態が保たれるように、前記第１、第２及び第３のスイッチング手段を制御するスイッチング制御手段を有することを特徴とする請求項６に記載の電圧供給装置。
【請求項８】
前記第１のスイッチング手段が、オン状態において前記第１の電圧ラインを前記第１の中継ラインに接続し、オフ状態において前記第１の電圧ラインを前記第１の中継ラインから切り離し、
前記第２のスイッチング手段が、オン状態において前記第２の電圧ラインを前記第２の中継ラインに接続し、オフ状態において前記第２の電圧ラインを前記第２の中継ラインから切り離し、
前記第３のスイッチング手段が、オン状態において前記第３の電圧ラインを前記第１の中継ラインに接続し、オフ状態において前記第３の電圧ラインを前記第１の中継ラインから切り離し、
前記スイッチング制御手段が、前記第１のスイッチング手段がオン状態からオフ状態に遷移し且つ前記第３のスイッチング手段がオフ状態からオン状態に遷移する間、前記第２のスイッチング手段がオン状態を保つように、前記第１、第２及び第３のスイッチング手段を制御することを特徴とする請求項７に記載の電圧供給装置。
【請求項９】
前記スイッチング制御手段が、前記第１のスイッチング手段を制御するための第１の制御信号と、前記第２のスイッチング手段を制御するための第２の制御信号と、前記第３のスイッチング手段を制御するための第３の制御信号とを出力し、
前記第１の制御信号は、前記第１のスイッチング手段をオン状態にするための第１のオン電圧とオフ状態にするための第１のオフ電圧とを有し、
前記第２の制御信号は、前記第２のスイッチング手段をオン状態にするための第２のオン電圧とオフ状態にするための第２のオフ電圧とを有し、
前記第３の制御信号は、前記第３のスイッチング手段をオン状態にするための第３のオン電圧とオフ状態にするための第３のオフ電圧とを有し、
前記スイッチング制御手段が、前記第１の制御信号が前記第１のオン電圧から前記第１のオフ電圧に遷移するとき、前記第３の制御信号が前記第３のオフ電圧から前記第３のオン電圧に遷移するように、前記第１及び第３の制御信号を出力し、
前記スイッチング制御手段が、更に、前記第３の制御信号が前記第３のオフ電圧から前記第３のオン電圧に遷移する間、前記第２の制御信号が前記第２のオン電圧を有するように前記第２の制御信号を出力することを特徴とする請求項８に記載の電圧供給装置。
【請求項１０】
前記スイッチング制御手段が、前記第１の制御信号と前記第３の制御信号との論理和の演算を行い、前記論理和を表す信号を前記第２の制御信号として出力するＯＲ回路を有することを特徴とする請求項９に記載の電圧供給装置。
【請求項１１】
前記スイッチング制御手段が、前記第１の制御信号を遅延させ、前記遅延した第１の制御信号を前記第２の制御信号として出力する遅延回路を有することを特徴とする請求項８に記載の電圧供給装置。
【請求項１２】
前記電圧供給装置が、
追加の中継ラインと、
前記第１の電圧ラインと前記第２の電圧ラインとを有する第１の電圧ライン群と、
前記第３の電圧ラインと前記追加の中継ラインを通じて電圧が供給される第４の電圧ラインとを有する第２の電圧ライン群と、
を備えることを特徴とする請求項３乃至１０のうちのいずれか１項に記載の電圧供給装置。
【請求項１３】
前記電圧供給装置が、前記第４の電圧ラインに隣接し且つ前記第１の中継ラインを通じて電圧が供給される第５の電圧ラインを有し、
前記制御手段が、前記第１の中継ラインを通じて前記第３の電圧ラインに電圧が供給されている状態から前記第１の中継ラインを通じて前記第５の電圧ラインに電圧が供給されている状態に遷移している間、前記追加の中継ラインを通じて前記第４の電圧ラインに電圧を供給し続けることを特徴とする請求項１１に記載の電圧供給装置。
【請求項１４】
前記制御手段は、前記第１の電圧供給状態から前記第２の電圧供給状態への遷移の後、前記第２の電圧ラインへの電圧の供給を阻止する、請求項３乃至１３のうちのいずれか一項に記載の電圧供給装置。
【請求項１５】
第１の中継ラインと、
第２の中継ラインと、
前記第１の中継ラインを通じて電圧が供給される第１の電圧ラインと、
前記第２の中継ラインを通じて電圧が供給される第２の電圧ラインと、
前記第２の電圧ラインに隣接し、前記第１の中継ラインを通じて電圧が供給される第３の電圧ラインと、
前記第２の電圧ラインに電圧が供給されている間、前記第１の電圧ラインに電圧が供給された第１の電圧供給状態から、前記第３の電圧ラインに電圧が供給された第２の電圧供給状態に切り替える制御手段とを有することを特徴とする電圧供給装置。
【発明の詳細な説明】
【技術分野】
【０００１】
本発明は、互いに隣接する一対のラインに電圧を供給する電圧供給装置に関する。
【背景技術】
【０００２】
従来より、複数のソースライン群にグループ分けされたソースラインに電圧を供給する電圧供給装置が知られている。
【０００３】
図１は、従来の電圧供給装置１００の一例を示す概略構成図である。
【０００４】
電圧供給装置１００は、複数のソースライン群ＧＳ１、ＧＳ２、ＧＳ３・・・を備えている。各ソースライン群ＧＳ１、ＧＳ２、ＧＳ３・・・は、いずれもｎ本のソースラインＬＳ１乃至ＬＳｎから構成されている。また、この電圧供給装置１００は、階調電圧出力手段１０が出力した階調電圧を複数のソースライン群ＧＳ１、ＧＳ２、ＧＳ３・・・の各々に供給するために、ビデオライン群ＧＶを備えている。ビデオライン群ＧＶは、ｎ本のビデオラインＬＶ１乃至ＬＶｎを有している。ビデオラインＬＶ１は、各ソースライン群ＧＳ１、ＧＳ２、ＧＳ３・・・のソースラインＬＳ１に電圧を供給するためのラインである。同様に、その他のビデオラインＬＶ２、・・・、ＬＶn-1、ＬＶｎは、各ソースライン群ＧＳ１、ＧＳ２、ＧＳ３・・・のソースラインＬＳ２、・・・、ＬＳn-1、ＬＳｎに電圧を供給するためのラインである。また、電圧供給装置１００は、各ソースライン群ＧＳ１、ＧＳ２、ＧＳ３・・・に対応してスイッチング回路Ｃ１、Ｃ２、Ｃ３・・・を備えている。各スイッチング回路Ｃ１、Ｃ２、Ｃ３・・・は、いずれも、ｎ本のソースラインＬＳ１乃至ＬＳｎに対応してスイッチング素子ＳＷ１乃至ＳＷｎを有する。更に、電圧供給装置１００は、シフトレジスタ２１を有する。このシフトレジスタ２１は、クロック信号ＣＬＫに同期して、スイッチング回路Ｃ１、Ｃ２、Ｃ３、・・・を制御するための制御信号Ｓ１、Ｓ２、Ｓ３、・・・を出力する。
【０００５】
図２は、図１に示す従来の電圧供給装置１００のタイミングチャートを示す。
【０００６】
図２の最上段には、１クロック期間毎に、ビデオラインＬＶ１乃至ＬＶｎの電圧波形が示されている。この電圧波形には、“ＧＳ１”、“ＧＳ２”、“ＧＳ３”の符号が記入されていることに注意されたい。例えば、時刻ｔ１乃至ｔ２の期間に、“ＧＳ１”という符号が記入されている。これは、時刻ｔ１乃至ｔ２の期間は、ビデオラインＬＶ１乃至ＬＶｎの各々に、ソースライン群ＧＳ１に属しているソースライン用の階調電圧が供給されていることを意味する。時刻ｔ２乃至ｔ３の期間についも、時刻ｔ１乃至ｔ２と同様に考えることができる。時刻ｔ２乃至ｔ３の期間に、“ＧＳ２”という符号が記入されている。これは、ビデオラインＬＶ１乃至ＬＶｎの各々に、ソースライン群ＧＳ２に属しているソースライン用の階調電圧が供給されていることを意味する。このように、ビデオラインＬＶ１乃至ＬＶn-1には、１クロック期間毎に各ソースライン群用の階調電圧が順次に供給される。
【０００７】
ビデオラインＬＶ１乃至ＬＶｎの電圧波形の下にはクロック信号ＣＬＫが示されている。シフトレジスタ２１が出力する制御信号Ｓ１は、クロック期間Ｔ１においてハイレベル電圧を有しており、制御信号Ｓ２は、制御信号Ｓ１よりも１クロック期間遅れて、即ち次のクロック期間Ｔ２において、ハイレベル電圧を有している。従って、ソースライン群ＧＳ１は、時刻ｔ１乃至ｔ２の期間において、ビデオラインＬＶ１乃至ＬＶｎに接続されたローインピーダンス状態ＬＩであり、一方、ソースライン群ＧＳ２は、時刻ｔ２乃至ｔ３の期間において、ビデオラインＬＶ１乃至ＬＶｎに接続されたローインピーダンス状態ＬＩである。尚、図２には示されていないが、ソースライン群ＧＳ３は、時刻ｔ３乃至ｔ４の期間において、ビデオラインＬＶ１乃至ＬＶｎに接続されたローインピーダンス状態ＬＩである。
【０００８】
図１に示す電圧供給装置１００では、時刻ｔ２において、スイッチング回路Ｃ１がオン状態からオフ状態に変化する一方で、スイッチング回路Ｃ２がオフ状態からオン状態に変化する。したがって、ソースライン群ＧＳ２の隣りのソースライン群ＧＳ１がローインピーダンス状態ＬＩからハイインピーダンスＨＩに変化し、一方、ソースライン群ＧＳ２がハイインピーダンス状態ＨＩからローインピーダンス状態ＬＩに変化する。この場合、ソースライン群ＧＳ２がローインピーダンス状態ＬＩのとき、ソースライン群ＧＳ１はハイインピーダンス状態ＨＩであるので、ソースライン群ＧＳ１への電圧の供給は停止されている。従って、ソースライン群ＧＳ２がローインピーダンス状態ＬＩになった瞬間にソースライン群ＧＳ２のソースラインＬＳ１の電圧が変化する場合、クロストークによって、ソースライン群ＧＳ１のソースラインＬＳｎの電圧も変動してしまい、この結果、ソースライン群ＧＳ１のソースラインＬＳｎの電圧が元の電圧からずれてしまう。その他のソースライン群に属するソースラインＬＳｎについても同様である。
【発明の開示】
【発明が解決しようとする課題】
【０００９】
本発明は、上記の事情に鑑み、互いに隣接するライン間で生じるクロストークによりライン上の電圧が変動してもこのライン上の電圧を元の電圧に戻すことができる電圧供給装置を提供することを目的とする。
【課題を解決するための手段】
【００１０】
上記目的を達成する本発明の電圧供給装置は、互いに隣接する一対の電圧ラインと、上記一対の電圧ラインのうちの一方の電圧ラインへの電圧の供給が停止された状態から上記一方の電圧ラインに電圧が供給された状態に遷移する間、上記一対の電圧ラインのうちの他方の電圧ラインに電圧を供給するための制御手段とを有する。この場合、制御手段は、この遷移後に、他方の電圧ラインへの電圧の供給を阻止することができる。
【００１１】
一対の電圧ラインが互いに隣接する状況下では、一方の電圧ラインに電圧を供給することによって、この一方の電圧ラインの電圧が変化してしまうと、この電圧の変化が、クロストークによって、他方の電圧ラインの電圧を変動させる場合がある。このような場合であっても、本発明の電圧供給装置では、他方の電圧ラインに電圧が供給され続けているので、この他方の電圧ラインの電圧を瞬時に元の電圧に戻すことが可能となる。
【００１２】
また、本発明の電圧供給装置は、第１の中継ラインと、第２の中継ラインと、上記第１の中継ラインを通じて電圧が供給される第１の電圧ラインと、上記第２の中継ラインを通じて電圧が供給される第２の電圧ラインと、上記第２の電圧ラインに隣接し、上記第１の中継ラインを通じて電圧が供給される第３の電圧ラインと、上記第１の電圧ラインに電圧が供給された第１の電圧供給状態から、上記第３の電圧ラインに電圧が供給された第２の電圧供給状態に遷移する間、上記第２の電圧ラインに電圧を供給し続ける制御手段と、を有することを特徴とする。この場合、制御手段は、第１の電圧供給状態から第２の電圧供給状態への遷移後に、第２の電圧ラインへの電圧の供給を阻止することができる。
【００１３】
この電圧供給装置では、第１の中継ラインは、第１の電圧ラインだけでなく、第３の電圧ラインにも電圧を供給するために用いられる。このような装置では、第３の電圧ラインに電圧が供給された瞬間に、第３の電圧ラインの電圧が変化してしまうと、この第３の電圧ライン上での電圧の変化が、クロストークによって、隣りの第２の電圧ラインの電圧を変動させる場合がある。このような場合であっても、本発明の電圧供給装置では、第２の電圧ラインに電圧が供給され続けているので、この第２の電圧ラインの電圧を瞬時に元の電圧に戻すことが可能となる。
【００１４】
ここで、本発明の電圧供給装置は、上記制御手段が、上記第１の中継ラインに上記第１の電圧ライン用の電圧を供給した後に上記第３の電圧ライン用の電圧を供給し、上記制御手段が、上記第１の中継ラインに上記第１の電圧ライン用の電圧が供給された状態から上記第１の中継ラインに上記第３の電圧ライン用の電圧が供給された状態に遷移する間、上記第２の中継ラインに上記第２の電圧ライン用の電圧を供給し続けるように構成されることが好ましい。
【００１５】
第２の中継ラインに上記のように第２の電圧ライン用の電圧を供給することによって、第２の電圧ラインには、第２の中継ラインを通じて第２の電圧ライン用の電圧が供給される。従って、第２の電圧ラインと第３の電圧ラインとの間のクロストークによって第２の電圧ライン上の電圧が変動しても、この第２の電圧ライン上の電圧は、瞬時に第２の電圧ライン用の電圧に戻る。
【００１６】
ここで、本発明の電圧供給装置は、上記制御手段が、上記第３の電圧ラインが上記第１の中継ラインから切り離された切断状態を、上記第３の電圧ラインが上記第１の中継ラインに接続された接続状態に切り替えるように構成され、上記制御手段が、上記第３の電圧ラインが上記第１の中継ラインから切り離された切断状態から、上記第３の電圧ラインが上記第１の中継ラインに接続された接続状態に遷移する間、上記第２の中継ラインを通じて上記第２の電圧ラインに第２の電圧ライン用の電圧を供給し続けるように構成できる。
【００１７】
第３の電圧ラインが第１の中継ラインに接続されると、第３の電圧ラインへの電圧の供給が開始される。このとき、第３の電圧ラインに電圧が供給されることによって第３の電圧ライン上の電圧が変化してしまうと、この電圧の変化が、クロストークによって、隣りの第２の電圧ラインの電圧を変動させる場合があるが、上記のように第２の電圧ラインに電圧を供給し続けることによって、この第２の電圧ラインの電圧を瞬時に元の電圧に戻すことができる。
【００１８】
ここで、本発明の電圧供給装置は、上記制御手段が、上記第２の電圧ラインが上記第２の中継ラインから切り離された切断状態を、上記第２の電圧ラインが上記第２の中継ラインに接続された接続状態に切り替えるようにも構成され、上記制御手段が、上記第３の電圧ラインが上記第１の中継ラインから切り離された切断状態から、上記第３の電圧ラインが上記第１の中継ラインに接続された接続状態に遷移する間、上記第２の電圧ラインが上記第２の中継ラインに接続された接続状態を保つように構成できる。
【００１９】
上記のように、第２の電圧ラインが第２の中継ラインに接続された接続状態を保つことによって、第２の電圧ラインに電圧が供給される。従って、第３の電圧ラインとの間のクロストークによって第２の電圧ライン上の電圧が変動しても、この第２の電圧ラインの電圧を瞬時に元の電圧に戻すことができる。
【００２０】
ここで、本発明の電圧供給装置は、上記制御手段が、上記第１の電圧ラインが上記第１の中継ラインに接続された接続状態と上記第１の電圧ラインが上記第１の中継ラインから切り離された切断状態とを確立するための第１のスイッチング手段と、上記第２の電圧ラインが上記第２の中継ラインに接続された接続状態と上記第２の電圧ラインが上記第２の中継ラインから切り離された切断状態とを確立するための第２のスイッチング手段と、上記第３の電圧ラインが上記第１の中継ラインに接続された接続状態と上記第３の電圧ラインが上記第１の中継ラインから切り離された切断状態とを確立するための第３のスイッチング手段とを有し、上記制御手段が、上記第１の電圧ラインが上記第１の中継ラインに接続され且つ上記第３の電圧ラインが上記第１の中継ラインから切り離された第１の状態から、上記第１の電圧ラインが上記第１の中継ラインから切り離され且つ上記第３の電圧ラインが上記第１の中継ラインに接続された第２の状態に遷移する間、上記第２の電圧ラインが上記第２の中継ラインに接続された接続状態が保たれるように、上記第１、第２及び第３のスイッチング手段を制御するスイッチング制御手段を有するように構成できる。
【００２１】
第３の電圧ラインとの間のクロストークによって第２の電圧ライン上の電圧が変動しても、上記のスイッチング制御手段を用いて第１、第２及び第３のスイッチング手段のオン状態およびオフ状態を制御することによって、この第２の電圧ラインの電圧を瞬時に元の電圧に戻すことができる。
【００２２】
ここで、本発明の電圧供給装置は、上記第１のスイッチング手段が、オン状態において上記第１の電圧ラインを上記第１の中継ラインに接続し、オフ状態において上記第１の電圧ラインを上記第１の中継ラインから切り離し、上記第２のスイッチング手段が、オン状態において上記第２の電圧ラインを上記第２の中継ラインに接続し、オフ状態において上記第２の電圧ラインを上記第２の中継ラインから切り離し、上記第３のスイッチング手段が、オン状態において上記第３の電圧ラインを上記第１の中継ラインに接続し、オフ状態において上記第３の電圧ラインを上記第１の中継ラインから切り離し、上記スイッチング制御手段が、上記第１のスイッチング手段がオン状態からオフ状態に遷移し且つ上記第３のスイッチング手段がオフ状態からオン状態に遷移する間、上記第２のスイッチング手段がオン状態を保つように、上記第１、第２及び第３のスイッチング手段を制御するように構成できる。第３の電圧ラインとの間のクロストークによって第２の電圧ライン上の電圧が変動しても、スイッチング制御手段を用いて第１、第２及び第３のスイッチング手段のオン状態及びオフ状態を上記のように制御することによって、この第２の電圧ラインの電圧を瞬時に元の電圧に戻すことができる。
【００２３】
ここで、本発明の電圧供給装置は、上記スイッチング制御手段が、上記第１のスイッチング手段を制御するための第１の制御信号と、上記第２のスイッチング手段を制御するための第２の制御信号と、上記第３のスイッチング手段を制御するための第３の制御信号とを出力し、上記第１の制御信号は、上記第１のスイッチング手段をオン状態にするための第１のオン電圧とオフ状態にするための第１のオフ電圧とを有し、上記第２の制御信号は、上記第２のスイッチング手段をオン状態にするための第２のオン電圧とオフ状態にするための第２のオフ電圧とを有し、上記第３の制御信号は、上記第３のスイッチング手段をオン状態にするための第３のオン電圧とオフ状態にするための第３のオフ電圧とを有し、上記スイッチング制御手段が、上記第１の制御信号が上記第１のオン電圧から上記第１のオフ電圧に遷移するとき、上記第３の制御信号が上記第３のオフ電圧から上記第３のオン電圧に遷移するように、上記第１及び第３の制御信号を出力し、上記スイッチング制御手段が、更に、上記第３の制御信号が上記第３のオフ電圧から上記第３のオン電圧に遷移する間、上記第２の制御信号が上記第２のオン電圧を有するように上記第２の制御信号を出力するように構成できる。
【００２４】
スイッチング制御手段が上記のような第１、第２及び第３の制御信号を出力することによって、第３のスイッチング手段がオフ状態からオン状態に遷移する間、第２のスイッチング手段はオン状態を保つ。従って、第３の電圧ラインとの間のクロストークによって第２の電圧ライン上の電圧が変動しても、この第２の電圧ラインの電圧を瞬時に元の電圧に戻すことができる。
【００２５】
ここで、本発明の電圧供給装置は、上記スイッチング制御手段が、上記第１の制御信号と上記第３の制御信号との論理和の演算を行い、上記論理和を表す信号を上記第２の制御信号として出力するＯＲ回路を有するように構成できる。
【００２６】
このようなＯＲ回路を備えることによって、第３のスイッチング手段がオフ状態からオン状態に遷移する間、第２のスイッチング手段をオン状態に保つための第２の制御信号が生成される。従って、第３の電圧ラインとの間のクロストークによって第２の電圧ライン上の電圧が変動しても、この第２の電圧ラインの電圧を瞬時に元の電圧に戻すことができる。
【００２７】
また、本発明の電圧供給装置は、上記スイッチング制御手段が、上記第１の制御信号を遅延させ、上記遅延した第１の制御信号を上記第２の制御信号として出力する遅延回路を有することも好ましい。
【００２８】
ＯＲ回路に代えて第１の制御信号を遅延させる遅延回路を備えても、第３のスイッチング手段がオフ状態からオン状態に遷移する間、第２のスイッチング手段をオン状態に保つための第２の制御信号を生成することができる。従って、第３の電圧ラインとの間のクロストークによって第２の電圧ライン上の電圧が変動しても、この第２の電圧ラインの電圧を瞬時に元の電圧に戻すことができる。
【００２９】
ここで、本発明の電圧供給装置は、上記電圧供給装置が、追加の中継ラインと、上記第１の電圧ラインと上記第２の電圧ラインとを有する第１の電圧ライン群と、上記第３の電圧ラインと上記追加の中継ラインを通じて電圧が供給される第４の電圧ラインとを有する第２の電圧ライン群と、を備えてもよい。
【００３０】
第２の中継ラインが第１の電圧ライン群に属している第２の電圧ラインに電圧を供給するために使用されている間は、この第２の中継ラインを用いて、別の電圧ラインに電圧を供給することができない。このような場合であっても、追加の中継ラインを備えれば、第２の中継ラインを通じて第２の電圧ラインに電圧を供給しながら、この追加の中継ラインを通じて第４の電圧ラインに電圧を供給することができる。従って、第２の中継ラインが第１の電圧ライン群に属している第２の電圧ラインに電圧を供給するために使用されている間であっても、第２の電圧ライン群に属している第３及び第４の電圧ラインへの電圧の供給を同時に開始することができる。
【００３１】
ここで、本発明の電圧供給装置は、上記第４の電圧ラインに隣接し且つ上記第１の中継ラインを通じて電圧が供給される第５の電圧供給ラインを有し、上記制御手段が、上記第１の中継ラインを通じて上記第３の電圧ラインに電圧が供給されている状態から上記第１の中継ラインを通じて上記第５の電圧ラインに電圧が供給されている状態に遷移している間、上記追加の中継ラインを通じて上記第４の電圧ラインに電圧を供給し続けるように構成できる。
【００３２】
第１の中継ラインが第３の電圧ラインだけでなく第５の電圧ラインにも電圧を供給するために使用される場合、第５の電圧ラインに電圧を供給するときには、第３の電圧ラインに代わって第５の電圧ラインが第１の中継ラインに接続される。このとき、第５の電圧ラインが電圧が供給された瞬間に第５の電圧ラインの電圧が変化すると、第５の電圧ラインは第４の電圧ラインに隣接しているので、この第４の電圧ラインの電圧がクロストークによって変動することがある。このような場合であっても、上記のように追加の中継ラインを通じて第４の電圧ラインに電圧を供給し続けることによって、この第４の電圧ラインの電圧を瞬時に元の電圧に戻すことができる。
【００３３】
また、本発明の電圧供給装置は、第１の中継ラインと、第２の中継ラインと、上記第１の中継ラインを通じて電圧が供給される第１の電圧ラインと、上記第２の中継ラインを通じて電圧が供給される第２の電圧ラインと、上記第２の電圧ラインに隣接し、上記第１の中継ラインを通じて電圧が供給される第３の電圧ラインと、上記第２の電圧ラインに電圧が供給されている間、上記第１の電圧ラインに電圧が供給された第１の電圧供給状態から、上記第３の電圧ラインに電圧が供給された第２の電圧供給状態に切り替える制御手段とを有することを特徴とする。
【００３４】
この電圧供給装置では、第１の電圧ラインから第３の電圧ラインへの電圧供給の切替えを、第２の電圧ラインに電圧が供給されている間に行っている。この場合、第２の電圧ラインと第３の電圧ラインとの間のクロストークにより第２の電圧ラインの電圧が変動しても、第２の電圧ラインに電圧が供給されているので、この第２の電圧ラインの電圧を瞬時に元の電圧に戻すことが可能となる。
【発明を実施するための最良の形態】
【００３５】
図３は、画像表示装置に適用された本発明の第１実施形態の電圧供給装置1を示す概略構成図、図４は、図３に示す電圧供給装置１のタイミングチャートを示す。
【００３６】
電圧供給装置１は、主な構成要素として、階調電圧出力手段１０、ビデオライン群ＧＶ、スイッチング回路Ｃ１乃至Ｃｚ、ソースライン群ＧＳ１乃至ＧＳｚ、及びスイッチング回路制御手段２０を有している。階調電圧出力手段１０は階調電圧を出力し、この階調電圧をビデオライン群ＧＶに供給する。ビデオライン群ＧＶに供給された電圧は、スイッチング回路Ｃ１乃至Ｃｚを経由して対応するソースライン群ＧＳ１乃至ＧＳｚに供給される。ここでは、各ソースライン群ＧＳ１乃至ＧＳｚは、いずれもｎ本のソースラインＬＳ１乃至ＬＳｎから構成されるが、各ソースライン群が有するソースラインの数は異なっていてもよい。スイッチング回路Ｃ１乃至Ｃｚはスイッチング回路制御手段２０によって制御される。
【００３７】
以下に、図３の電圧供給装置１が、どのようにしてソースラインに階調電圧を供給しているかについて詳細に説明する。
【００３８】
階調電圧出力手段１０は、階調電圧発生回路１１と階調電圧選択回路１２とを有している。階調電圧発生回路１１は、電圧レベルの異なるｍ個の階調電圧（例えば、６４個の階調電圧）を発生し、この発生したｍ個の階調電圧を階調電圧選択回路１２に出力する。
【００３９】
階調電圧選択回路１２は、選択信号Ｓselectに基づいて、ビデオライン群ＧＶの各ビデオラインＬＶ１乃至ＬＶn+1に対して、ｍ個の階調電圧の中から階調電圧を１つづつ選択し、選択した階調電圧をビデオライン群ＧＶに供給する。尚、階調電圧出力手段１０は、ビデオライン群ＧＶの各ビデオラインＬＶ１乃至ＬＶn+1に必要な階調電圧を出力することができるのであれば、図３に示す回路構成に限定されることはない。
【００４０】
ビデオライン群ＧＶは、各ソースライン群ＧＳ１乃至ＧＳｚに階調電圧を供給するために（ｎ+１）本のビデオラインＬＶ１乃至ＬＶn+1を有している。例えば、各ソースライン群ＧＳ１乃至ＧＳｚのソースラインＬＳ１は、ビデオラインＬＶ１を通じて階調電圧が供給される。従って、スイッチング回路Ｃ１乃至Ｃｚを制御することによって、１本のビデオラインＬＶ１を用いて、各ソースライン群ＧＳ１乃至ＧＳｚのソースラインＬＳ１に階調電圧を供給することができる。ソースラインＬＳ２乃至ＬＳn-1も、ソースラインＬＳ１と同様に考えることができ、同一のビデオラインＬＶ２乃至ＬＶn-1を通じて階調電圧が供給される。このように、ソースラインＬＳ１乃至ＬＳｎのうちソースラインＬＳ１乃至ＬＳn-1について考えると、同一の符号が付されているソースラインは、どのソースライン群に属しているかにかかわらず、同一のビデオラインを通じて階調電圧が供給される。しかしながら、ソースラインＬＳｎは、そのソースラインＬＳｎがどのソースライン群に属しているかによって、異なるビデオラインから階調電圧が供給されることに注意されたい。この目的のため、ビデオライン群ＧＶは、ビデオラインＬＶ１乃至ＬＶn-1の他に、ビデオラインＬＶｎと追加のビデオラインＬＶn+1を備えている。ビデオラインＬＶｎは、奇数番目のソースライン群ＧＳ１、ＧＳ３、・・・に属するソースラインＬＳｎに階調電圧を供給するために設けられ、一方、追加のビデオラインＬＶn+1は、偶数番目のソースライン群ＧＳ２、ＧＳ４、・・・に属するソースラインＬＳｎに階調電圧を供給するために設けられている。ここで、ソースライン群ＧＳ１乃至ＧＳｚの総数が奇数個である偶数個であるかによって、最後のソースライン群ＧＳｚは、奇数番目にも偶数番目にもなり得ることに注意されたい。最後のソースライン群ＧＳｚが奇数番目の場合は、最後のソースライン群ＧＳｚに属するソースラインＬＳｎは、ビデオラインＬＶnから階調電圧が供給され、一方、偶数番目の場合は、追加のビデオラインＬＶn+1から供給されることになる。ここでは、最後のソースライン群ＧＳｚが偶数番目のソースライン群であるとして説明を続ける。従って、最後のソースライン群ＧＳｚに属するソースラインＬＳｎは、追加のビデオラインＬＶn+1から階調電圧が供給される。このように、ソースラインＬＳｎは、他のソースラインＬＳ１乃至ＬＳn-1とは異なり、ビデオラインＬＶｎ又はＬＶn+1から電圧が供給される。このことが、図４のタイミングチャートに具体的に示されている。図４の上部には、上から順に、ビデオラインＬＶ１乃至ＬＶn-1の電圧波形、ビデオラインＬＶnの電圧波形、及び追加のビデオラインＬＶn+1の電圧波形が示されている。これらビデオラインの電圧波形には、“ＧＳ１”、“ＧＳ２”、“ＧＳ３”等の符号が記入されていることに注意されたい。例えば、ビデオラインＬＶ１乃至ＬＶn-1の電圧波形には、１クロック期間毎に、“ＧＳ１”、“ＧＳ２”、“ＧＳ３”、“ＧＳ４”、・・・、“ＧＳz-1”、及び“ＧＳｚ”という符号が記入されている。より具体的には、例えば時刻ｔ１乃至ｔ２の期間に、“ＧＳ１”という符号が記入されている。これは、時刻ｔ１乃至ｔ２の期間は、ビデオラインＬＶ１乃至ＬＶn-1の各々に、ソースライン群ＧＳ１に属しているソースライン用の階調電圧が供給されていることを意味する。同様に、時刻ｔｚ乃至ｔz+1の期間は“ＧＳｚ”という符号が記入されているので、ビデオラインＬＶ１乃至ＬＶn-1に、ソースライン群ＧＳｚに属しているソースライン用の階調電圧が供給されていることを意味する。このように、ビデオラインＬＶ１乃至ＬＶn-1には、１クロック期間毎に各ソースライン群用の階調電圧が順次に供給される。
【００４１】
これに対して、ビデオラインＬＶn（本発明にいう「第２の中継ライン」に相当する）の電圧波形には、２クロック期間毎に、符号“ＧＳ１”、“ＧＳ３”、・・・、“ＧＳz-1”が記入されている。より具体的には、例えば時刻ｔ１乃至ｔ３の期間に“ＧＳ１”という符号が記入されている。これは、時刻ｔ１乃至ｔ３の期間は、ビデオラインＬＶnに、ソースライン群ＧＳ１に属しているソースラインＬＳｎ用の階調電圧が供給されていることを意味する。同様に、時刻ｔz-1乃至ｔz+1の期間は“ＧＳz-1”という符号が記入されているので、ビデオラインＬＶnに、ソースライン群ＧＳz-1に属しているソースラインＬＳｎ用の階調電圧が供給されていることを意味する。このように、ビデオラインＬＶnには、２クロック期間毎に奇数番目のソースライン群に属しているソースラインＬＳｎ用の階調電圧が順次に供給される。
【００４２】
一方、追加のビデオラインＬＶn+1（本発明にいう「追加の中継ライン」に相当する）の電圧波形には、符号“ＧＳ２”、“ＧＳ４”、・・・、“ＧＳz-2”及び“ＧＳｚ”が記入されているので、偶数番目のソースライン群に属しているソースラインＬＳｎ用の階調電圧が順次に供給されている。追加のビデオラインＬＶn+1には、ビデオラインＬＶnに対して１クロック期間遅れたタイミングで電圧が供給されている。また、追加のビデオラインＬＶn+1には、基本的には、ビデオラインＬＶnと同様に、２クロック期間毎に階調電圧が供給される。しかしながら、追加のビデオラインＬＶn+1の電圧波形の最後に記入されている符号“ＧＳｚ”は時刻ｔｚ乃至ｔz+1の期間（即ち、１クロック期間）にのみ記入されていることに注意されたい。従って、追加のビデオラインＬＶn+1には、ソースライン群ＧＳｚに属しているソースラインＬＳｎ用の階調電圧が、１クロック期間だけ供給されることになる。
【００４３】
また、電圧供給装置１は、ｚ個のソースライン群ＧＳ１乃至ＧＳｚに対応して、ｚ個のスイッチング回路Ｃ１乃至Ｃｚを備えている。各スイッチング回路Ｃ１乃至Ｃｚは、対応するソースライン群をビデオライン群ＧＶに接続する又はビデオライン群ＧＶから切り離すための切替え動作を行う。この切替え動作を行うために、各スイッチング回路Ｃ１乃至Ｃｚは、ｎ本のソースラインＬＳ１乃至ＬＳｎに対応してｎ個のスイッチング素子ＳＷ１乃至ＳＷｎを有している。各スイッチング素子は、ローレベル電圧に応答してオフ状態となり、ハイレベル電圧に応答してオン状態となる。このようなスイッチング素子を有する各スイッチング回路Ｃ１乃至Ｃｚは、ソースラインＬＳ１乃至ＬＳｎのうちのソースラインＬＳ１乃至ＬＳn-1を、ビデオラインＬＶ１乃至ＬＶn-1に接続する。しかしながら、奇数番目のスイッチング回路Ｃ１、Ｃ３、・・・は、対応するソースラインＬＳｎをビデオラインＬＶｎに接続し、偶数番目のスイッチング回路Ｃ２、Ｃ４、・・・は、対応するソースラインＬＳｎをビデオラインＬＶｎではなく追加のビデオラインＬＶn+1に接続することに注意されたい。
【００４４】
電圧供給装置１は、スイッチング回路Ｃ１乃至Ｃｚを上記のように駆動するためにスイッチング回路制御手段２０を備えている。このスイッチング回路制御手段２０は、シフトレジスタ２１を有する。このシフトレジスタ２１は、各スイッチング回路Ｃ１乃至Ｃｚに対応してＤフリップフロップＦＦ１乃至ＦＦｚを有している。これらＤフリップフロップＦＦ１乃至ＦＦｚは縦続接続されている。これらＤフリップフロップＦＦ１乃至ＦＦｚのうちの最前段のＤフリップフロップＦＦ１には、キャリー信号Carryが入力される。このキャリー信号Carryは、クロック信号ＣＬＫのパルスＰ０の立下りに同期してローレベル電圧からハイレベル電圧に変化し、次のパルスＰ１の立下りに同期してハイレベル電圧からローレベル電圧に変化する。クロック信号ＣＬＫのパルスＰ１は、キャリー信号Carryがハイレベル電圧の間に立ち上がるので、パルスＰ１の立上りエッジに同期して、最前段のＤフリップフロップＦＦ１はキャリー信号Carryのハイレベル電圧を取り込んで出力する。ＤフリップフロップＦＦ１から出力されたハイレベル電圧は、次段のＤフリップフロップＦＦ２の入力信号として出力されるとともにスイッチング回路Ｃ１の制御信号Ｓ１としても出力される。次のパルスＰ２の立上り時刻ｔ２において、キャリー信号Carryはローレベル電圧であるので、最前段のＤフリップフロップＦＦ１はそのローレベル電圧を取り込んで、次段のＤフリップフロップＦＦ２及びスイッチング回路Ｃ１に出力する。従って、ＤフリップフロップＦＦ１から出力される信号は、時刻ｔ１乃至ｔ２の期間、ハイレベル電圧を保ち、時刻ｔ２以降は、ＤフリップフロップＦＦ１に新たなハイレベル電圧が取り込まれるまで、ローレベル電圧を保つ。ＤフリップフロップＦＦ２乃至ＦＦｚは、クロック信号ＣＬＫのパルスに同期して、最前段のＤフリップフロップＦＦ１から出力された信号を１クロック期間づつ遅らせて出力する。各ＤフリップフロップＦＦ２乃至ＦＦｚから出力された信号は、最前段のＤフリップフロップＦＦ１から出力された信号と同様に、制御信号Ｓ２乃至Ｓｚとして、対応するスイッチング回路Ｃ２乃至Ｃｚに供給される。
【００４５】
このようにして各ＤフリップフロップＦＦ１乃至ＦＦｚから出力された信号は、制御信号Ｓ１乃至Ｓｚとして、対応するスイッチング回路Ｃ１乃至Ｃｚに供給される。制御信号Ｓ１乃至Ｓｚのうちの制御信号Ｓｚは、スイッチング回路Ｃｚを構成するｎ個のスイッチング素子ＳＷ１乃至ＳＷｎを全て制御するための信号である。しかしながら、その他の制御信号Ｓ１乃至Ｓz-1は、対応するスイッチング回路を構成するｎ個のスイッチング素子ＳＷ１乃至ＳＷｎを全て制御するのではなく、ｎ−１個のスイッチング素子ＳＷ１乃至ＳＷn-1を制御することに注意されたい。例えば、制御信号Ｓ１は、対応するスイッチング回路Ｃ１を構成するｎ個のスイッチング素子ＳＷ１乃至ＳＷｎを全て制御するのではなく、ｎ−１個のスイッチング素子ＳＷ１乃至ＳＷn-1を制御する。他の制御信号Ｓ２乃至Ｓz-1も同様である。つまり、制御信号Ｓ１乃至Ｓz-1は、対応するスイッチング回路に属するｎ−１個のスイッチング素子ＳＷ１乃至ＳＷn-1を制御できるが、スイッチング素子ＳＷｎを制御できないことに注意されたい。制御信号Ｓ１乃至Ｓz-1が制御できないスイッチング素子ＳＷｎを制御する目的で、スイッチング回路制御手段２０は、シフトレジスタ２１だけでなく、（z-1）個のスイッチング回路Ｃ１乃至Ｃz-1に対応して（z-1）個のＯＲ回路２２_１乃至２２_z-1を有している（図３には、ＯＲ回路２２_１及び２２_２は示されているが、その他のＯＲ回路は図示省略されている）。ＯＲ回路２２_１は、対応するスイッチング回路Ｃ１に入力される制御信号Ｓ１とその隣りのスイッチング回路Ｃ２に入力される制御信号Ｓ２との論理和を表すＯＲ信号を制御信号Ｓ１’として出力する。この制御信号Ｓ１’によってスイッチング回路Ｃ１のスイッチング素子ＳＷｎの開閉が行われる。その他のＯＲ回路２２_２乃至２２_z-1も同様のやり方で、対応するスイッチング回路Ｃ２乃至Ｃz-1のスイッチング素子ＳＷｎの開閉を行うための制御信号Ｓ２’乃至Ｓz-1’を出力する。
【００４６】
次に、上記のように構成された電圧供給装置１の動作について、図３及び図４を参照しながら説明する。
【００４７】
この電圧供給装置１は、先ず、ソースライン群ＧＳ１のソースラインＬＳ１乃至ＬＳn-1に階調電圧を供給するために、時刻ｔ１乃至ｔ２の期間、対応する階調電圧をビデオラインＬＶ１乃至ＬＶn-1に供給する。また、電圧供給装置１は、ソースライン群ＧＳ１のソースラインＬＳnに階調電圧を供給するために、時刻ｔ１乃至ｔ３の期間、対応する階調電圧をビデオラインＬＶｎに供給する。
【００４８】
ＤフリップフロップＦＦ１は、クロック信号ＣＬＫのパルスＰ１の立ち上がりに同期して、キャリー信号Ｃarryのハイレベル電圧を取り込み、次のパルスＰ２が立ち上がるまで、ハイレベル電圧を出力し続ける。従って、時刻ｔ１乃至ｔ２の期間、制御信号Ｓ１はハイレベル電圧を有し、この結果、スイッチング回路Ｃ１のスイッチング素子ＳＷ１乃至ＳＷn-1はオン状態になる。ソースライン群ＧＳ１のソースラインＬＳ１乃至ＬＳn-1は、このオン状態のスイッチング素子ＳＷ１乃至ＳＷn-1を通じてビデオラインＬＶ１乃至ＬＶn-1に接続されたローインピーダンス状態ＬＩになる（図４参照）。従って、ソースライン群ＧＳ１のソースラインＬＳ１乃至ＬＳn-1は、ビデオラインＬＶ１乃至ＬＶn-1から対応する階調電圧が供給される。この制御信号Ｓ１は、スイッチング回路Ｃ１だけでなくＯＲ回路２２_１にも入力される。ＯＲ回路２２_１は制御信号Ｓ１だけでなく制御信号Ｓ２も入力されるが、制御信号Ｓ１がハイレベル電圧である場合、制御信号Ｓ２の電圧レベルとは無関係に、ＯＲ回路２２_１はハイレベル電圧を出力する。従って、制御信号Ｓ１’は、時刻ｔ１乃至ｔ２の期間、ハイレベル電圧を有し、この結果、スイッチング回路Ｃ１のスイッチング素子ＳＷ１乃至ＳＷn-1だけでなく、スイッチング素子ＳＷｎもオン状態になる。従って、ソースライン群ＧＳ１のソースラインＬＳｎも、スイッチング回路Ｃ１のスイッチング素子ＳＷｎを通じてビデオラインＬＶｎに接続されたローインピーダンス状態ＬＩになり、ビデオラインＬＶｎから対応する階調電圧が供給される。
【００４９】
即ち、時刻ｔ１乃至ｔ２の期間、スイッチング回路Ｃ１の全てのスイッチング素子ＳＷ１乃至ＳＷnを通じて、ビデオラインＬＶ１乃至ＬＶｎからソースライン群ＧＳ１の全てのソースラインＬＳ１乃至ＬＳｎに、対応する階調電圧が供給される。尚、その他のスイッチング回路Ｃ２乃至Ｃｚでは、全てのスイッチング素子がオフ状態であるので、ソースライン群ＧＳ１用の階調電圧が他のソースライン群ＧＳ２乃至ＧＳｚに供給されることは無い。
【００５０】
次に、ソースライン群ＧＳ２のソースラインＬＳ１乃至ＬＳn-1に階調電圧を供給するために、時刻ｔ２乃至ｔ３の期間、ビデオラインＬＶ１乃至ＬＶn-1に、ソースライン群ＧＳ２用の階調電圧が供給される。従って、ビデオラインＬＶ１乃至ＬＶn-1には、時刻ｔ１乃至ｔ２において、ソースライン群ＧＳ１用の階調電圧が供給されるが、時刻ｔ２乃至ｔ３において、ソースライン群ＧＳ２用の階調電圧が供給される。しかしながら、ビデオラインＬＶｎには、時刻ｔ１乃至ｔ２の期間だけでなく、時刻ｔ２乃至ｔ３の期間にもソースライン群ＧＳ１に属するソースラインＬＳｎ用の階調電圧が供給されることに注意されたい。この理由については後述する。
【００５１】
また、時刻ｔ２において、制御信号Ｓ１はハイレベル電圧からローレベル電圧に変化するので、スイッチング回路Ｃ１のスイッチング素子ＳＷ１乃至ＳＷn-1はオン状態からオフ状態に変化する。従って、ソースライン群ＧＳ１のソースラインＬＳ１乃至ＬＳn-1は、ビデオラインＬＶ１乃至ＬＶn-1から切り離されたハイインピーダンス状態ＨＩになる。この結果、時刻ｔ２乃至ｔ３の期間にビデオラインＬＶ１乃至ＬＶn-1に供給されているソースライン群ＧＳ２用の階調電圧が、ソースライン群ＧＳ１のソースラインＬＳ１乃至ＬＳn-1に供給されることが防止される。
【００５２】
また、時刻ｔ２において、制御信号Ｓ２がローレベル電圧からハイレベル電圧に変化するので、スイッチング回路Ｃ２のスイッチング素子ＳＷ１乃至ＳＷn-1はオフ状態からオン状態に変化する。ソースライン群ＧＳ２のソースラインＬＳ１乃至ＬＳn-1は、このオン状態のスイッチング素子ＳＷ１乃至ＳＷn-1を通じてビデオラインＬＶ１乃至ＬＶn-1に接続されたローインピーダンス状態ＬＩになる。従って、ソースライン群ＧＳ２のソースラインＬＳ１乃至ＬＳn-1は、ビデオラインＬＶ１乃至ＬＶn-1から対応する階調電圧が供給される。
【００５３】
ここで、時刻ｔ２において、制御信号Ｓ１はハイレベル電圧からローレベル電圧に変化するが、制御信号Ｓ２はローレベル電圧からハイレベル電圧に変化することに注意されたい。制御信号Ｓ１及びＳ２がこのように変化するので、ＯＲ回路２２_１から出力される制御信号Ｓ１’は、時刻ｔ１乃至ｔ３を通じてハイレベル電圧を保ち、この結果、スイッチング回路Ｃ１のスイッチング素子ＳＷｎは時刻ｔ１乃至ｔ３を通じてオン状態を保つ。従って、スイッチング回路Ｃ１のスイッチング素子ＳＷ１乃至ＳＷn-1は時刻ｔ２以降はオフ状態であるのに対し、スイッチング回路Ｃ１のスイッチング素子ＳＷｎは時刻ｔ２を経過しても、時刻ｔ３まではオン状態を保つ。この結果、ソースライン群ＧＳ１のソースラインＬＳnは、時刻ｔ１乃至ｔ３の期間にわたって、ビデオラインＬＶｎに接続されたローインピーダンス状態ＬＩになる。従って、ソースライン群ＧＳ１のソースラインＬＳｎは、時刻ｔ１乃至ｔ３の期間にわたって、ビデオラインＬＶｎから対応する階調電圧が供給される。つまり、ソースライン群ＧＳ２のソースラインＬＳ１が、時刻ｔ２において、ハイインピーダンス状態ＨＩからローインピーダンス状態ＬＩに完全に切り替わるまでの間、ソースライン群ＧＳ１のソースラインＬＳｎにはビデオラインＬＶｎから対応する階調電圧が供給され続けている。従って、ソースライン群ＧＳ２のソースラインＬ１がローインピーダンス状態ＬＩになった瞬間に（時刻ｔ２）、クロストークによってソースライン群ＧＳ１のソースラインＬＳｎの電圧が変動しても、ソースライン群ＧＳ１のソースラインＬＳｎの電圧は、瞬時に元の階調電圧に戻る。このように、ソースライン群ＧＳ１のソースラインＬＳｎに階調電圧が供給されている間に、ソースライン群ＧＳ２のソースラインＬＳ１をハイインピーダンス状態ＨＩからローインピーダンス状態ＬＩに切り替えることによって、クロストークによる画像劣化が防止される。
【００５４】
ここで、図３に示す電圧供給装置１では、クロストークによる画像劣化を防止するために、ビデオラインＬＶｎには、時刻ｔ１乃至ｔ２の期間だけでなく、時刻ｔ２乃至ｔ３の期間も、ソースライン群ＧＳ１に属するソースラインＬＳｎ用の階調電圧が供給されていることに注意されたい。このため、時刻ｔ２乃至ｔ３の期間に、ビデオラインＬＶｎから、ソースライン群ＧＳ２に属するソースラインＬＳｎに階調電圧を供給することができない。そこで、図３に示す電圧供給装置１は、ｎ本のビデオラインＬＶ１乃至ＬＶｎだけでなく、追加のビデオラインＬＶｎ+1を備えている。ビデオラインＬＶｎには奇数番目のソースライン群ＧＳ１、ＧＳ３、・・・に属するソースラインＬＳｎ用の階調電圧が供給されるが、この追加のビデオラインＬＶｎ+1には偶数番目のソースライン群ＧＳ２、ＧＳ４、・・・に属するソースラインＬＳｎ用の階調電圧が供給される。
【００５５】
この追加のビデオラインＬＶｎ+1には、時刻２乃至ｔ４の期間、ソースライン群ＧＳ２に属するソースラインＬＳｎ用の階調電圧が供給される。また、時刻ｔ２乃至ｔ３の期間、制御信号Ｓ２はハイレベル電圧であるのでＯＲ回路２２_２から出力される制御信号Ｓ２’はハイレベル電圧である。この結果、スイッチング回路Ｃ２では、スイッチング素子ＳＷ１乃至ＳＷn-1だけでなく、スイッチング素子ＳＷｎも閉じた状態になる。従って、ソースライン群ＧＳ２のソースラインＬＳｎは、追加のビデオラインＬＶn+1に接続されたローインピーダンス状態ＬＩになり、追加のビデオラインＬＶn+1から対応する階調電圧が供給される。
【００５６】
また、ソースライン群ＧＳ３のソースラインＬＳ１乃至ＬＳｎに階調電圧を供給する目的で、時刻ｔ３乃至ｔ４の期間、ビデオラインＬＶ１乃至ＬＶn-1に、ソースライン群ＧＳ３のソースラインＬＳ１乃至ＬＳn-1用の階調電圧が供給され、時刻ｔ３乃至ｔ５の期間、ビデオラインＬＶｎにソースライン群ＧＳ３のソースラインＬＳｎ用の階調電圧が供給される。
【００５７】
時刻ｔ３において、制御信号Ｓ２はハイレベル電圧からローレベル電圧に変化するので、スイッチング回路Ｃ２のスイッチング素子ＳＷ１乃至ＳＷn-1はオン状態からオフ状態に変化する。従って、ソースライン群ＧＳ２のソースラインＬＳ乃至ＬＳn-1は、ビデオラインＬＶ１乃至ＬＶn-1から切り離されたハイインピーダンス状態ＨＩになる。この結果、時刻ｔ３乃至ｔ４の期間にビデオラインＬＶ１乃至ＬＶn-1に供給されているソースライン群ＧＳ３用の階調電圧が、ソースライン群ＧＳ２のソースラインＬＳ１乃至ＬＳn-1に供給されることが防止される。
【００５８】
また、時刻ｔ３において、制御信号Ｓ１’もハイレベル電圧からローレベル電圧に変化するので、スイッチング回路Ｃ１のスイッチング素子ＳＷｎはオン状態からオフ状態に変化する。従って、ソースライン群ＧＳ１のソースラインＬＳｎは、ビデオラインＬＶｎから切り離されたハイインピーダンス状態ＨＩになる。この結果、時刻ｔ３乃至ｔ５の期間にビデオラインＬＶｎに供給されているソースライン群ＧＳ３用の階調電圧が、ソースライン群ＧＳ１のソースラインＬＳｎに供給されることが防止される。
【００５９】
ここで、時刻ｔ３において、制御信号Ｓ２はハイレベル電圧からローレベル電圧に変化するが、制御信号Ｓ３はローレベル電圧からハイレベル電圧に変化することに注意されたい。制御信号Ｓ２及びＳ３がこのように変化するので、ＯＲ回路２２_２から出力される制御信号Ｓ２’は、時刻ｔ２乃至ｔ３の期間だけでなく、時刻ｔ３乃至ｔ４の期間もハイレベル電圧を保つ。この結果、スイッチング回路Ｃ２のスイッチング素子ＳＷｎは時刻ｔ２乃至ｔ４の期間オン状態を保つので、ソースライン群ＧＳ２のソースラインＬＳnは、時刻ｔ２乃至ｔ４の期間にわたって、追加のビデオラインＬＶn+1に接続されたローインピーダンス状態ＬＩを保つ。従って、ソースライン群ＧＳ２のソースラインＬＳｎは、時刻ｔ２乃至ｔ４の期間にわたって、追加のビデオラインＬＶn+1から対応する階調電圧が供給され続ける。このため、クロストークによってソースライン群ＧＳ２のソースラインＬＳｎの電圧が変動しても、ソースライン群ＧＳ２のソースラインＬＳｎの電圧は、瞬時に元の階調電圧に戻り、クロストークによる画像劣化が防止される。
【００６０】
以下、他のソースライン群ＧＳ３乃至ＧＳz-1にも、同様のやり方で対応する階調電圧が供給される。従って、隣接するソースライン群の間でのクロストークによる画像劣化が防止される。
【００６１】
尚、最後のソースライン群ＧＳｚは、他のソースライン群ＧＳ１乃至ＧＳz-1と異なって、クロストークの原因となるソースライン群は存在しない。従って、最後のソースライン群ＧＳｚのソースラインＬＳｎには、対応する階調電圧を２クロック期間に渡って供給する必要が無い。このような理由から、最後のソースライン群ＧＳｚでは、ソースラインＬＳ１乃至ＬＳn-1だけでなく、ソースラインＬＳｎにも、対応する階調電圧が１クロック期間だけ供給される。この目的のため、追加のビデオラインＬＶn+1には、ソースライン群ＧＳｚに属するソースラインＬＳｎ用の階調電圧が、時刻ｔｚ乃至ｔz+1の期間（即ち、１クロック期間）だけ供給され、更に、シフトレジスタ２１の最後段のＤフリップフロップＦＦｚから出力される制御信号Ｓｚが、スイッチング回路Ｃｚのスイッチング素子ＳＷ１乃至ＳＷn-1だけでなくスイッチング素子ＳＷｎの制御も行っている。このような制御信号Ｓｚでスイッチング回路Ｃｚを制御することによって、最後のソースライン群ＧＳｚに属するｎ本のソースラインＬＳ１乃至ＬＳnに、１クロック期間だけ階調電圧を供給することができる。
【００６２】
また、図３の電圧供給装置１では、２本のビデオラインＬＶｎ及びＬＶn+1を使用して、各ソースライン群のソースラインＬＳｎに階調電圧を供給している。しかしながら、３本以上のビデオラインを使用して各ソースライン群のソースラインＬＳｎに階調電圧を供給してもよい。
【００６３】
また、図３の電圧供給装置１では、シフトレジスタ２１から出力される２つの制御信号を利用してスイッチング素子ＳＷｎを制御するための制御信号Ｓ１’、Ｓ２’、・・・を生成している。しかしながら、これら制御信号Ｓ１’、Ｓ２’、・・・は、シフトレジスタ２１から出力される信号を利用して生成する必要は無い。スイッチング素子ＳＷｎをその他のスイッチング素子ＳＷ１乃至ＳＷn-1に対して独立に制御できるのであれば、スイッチング素子ＳＷｎを制御するための制御信号Ｓ１’、Ｓ２’、・・・は、どのようなやり方で生成してもよい。
【００６４】
図５は、画像表示装置に適用された本発明の第２実施形態の電圧供給装置２を示す概略構成図、図６は、図５に示す電圧供給装置２のタイミングチャートを示す。
【００６５】
図５及び図６の説明に当たっては、図３及び図４との相違点を主に説明する。
【００６６】
図５に示す電圧供給装置２と図３に示す電圧供給装置１との構成要素上の相違点は、図５の電圧供給装置２は、図３の電圧供給装置１が備えている追加のビデオラインＬＶｎ+1を備えていない点と、図５の電圧供給装置２のビデオラインＬＶｎが全てのソースライン群のソースラインＬＳｎに階調電圧を供給するように構成されている点と、図５の電圧供給装置２が、図３の電圧供給装置１が備えているスイッチング回路制御手段２０とは異なる構成のスイッチング回路制御手段２００を備えている点である。
【００６７】
ビデオラインＬＶｎは、他のビデオラインＬＶ１乃至ＬＶn-1とは異なるタイミングで電圧が供給される。このことが、図６のタイミングチャートに具体的に示されている。図４の上部には、上から順に、ビデオラインＬＶ１乃至ＬＶn-1の電圧波形及びビデオラインＬＶnの電圧波形が示されている。これらビデオラインの電圧波形には、“ＧＳ１”、“ＧＳ２”、“ＧＳ３”等の符号が記入されていることに注意されたい。例えば、ビデオラインＬＶ１乃至ＬＶn-1の電圧波形には、１クロック期間毎に、“ＧＳ１”、“ＧＳ２”、“ＧＳ３”、・・・、“ＧＳｚ”という符号が記入されている。より具体的には、例えば時刻ｔ１乃至ｔ２の期間に、“ＧＳ１”という符号が記入されている。これは、時刻ｔ１乃至ｔ２の期間は、ビデオラインＬＶ１乃至ＬＶn-1の各々に、ソースライン群ＧＳ１に属しているソースライン用の階調電圧が供給されていることを意味する。同様に、時刻ｔｚ乃至ｔz+1の期間は“ＧＳｚ”という符号が記入されているので、ビデオラインＬＶ１乃至ＬＶn-1に、ソースライン群ＧＳｚに属しているソースライン用の階調電圧が供給されていることを意味する。このように、ビデオラインＬＶ１乃至ＬＶn-1には、１クロック期間毎に各ソースライン群用の階調電圧が順次に供給される。
【００６８】
一方、ビデオラインＬＶnの電圧波形にも、符号“ＧＳ１”、“ＧＳ２”、“ＧＳ３”・・・、“ＧＳz”が記入されている。従って、ビデオラインＬＶｎには、各ソースライン群のソースラインＬＳｎ用の階調電圧が順次に供給される。しかしながら、ビデオラインＬＶｎには、ビデオラインＬＶ１乃至ＬＶn-1よりも遅延期間Ｐｄだけ遅れて、対応する階調電圧が供給されることに注意されたい。
【００６９】
スイッチング回路制御手段２００は、図３に示すシフトレジスタ２１と同一構造のシフトレジスタ２０１を備えている。シフトレジスタ２０１から出力された制御信号Ｓ１乃至Ｓｚは、対応するスイッチング回路Ｃ１乃至Ｃｚに供給される。制御信号Ｓ１乃至Ｓｚは、対応するスイッチング回路Ｃ１乃至Ｃｚを構成するｎ個のスイッチング素子ＳＷ１乃至ＳＷｎを全て制御するのではなく、ｎ−１個のスイッチング素子ＳＷ１乃至ＳＷn-1を制御することに注意されたい。例えば、制御信号Ｓ１は、対応するスイッチング回路Ｃ１を構成するｎ個のスイッチング素子ＳＷ１乃至ＳＷｎを全て制御するのではなく、ｎ−１個のスイッチング素子ＳＷ１乃至ＳＷn-1を制御する。他の制御信号Ｓ２乃至Ｓｚも同様である。つまり、制御信号Ｓ１乃至Ｓｚは、対応するスイッチング回路に属するｎ−１個のスイッチング素子ＳＷ１乃至ＳＷn-1を制御できるが、スイッチング素子ＳＷｎは制御できないことに注意されたい。制御信号Ｓ１乃至Ｓzが制御できないスイッチング素子ＳＷｎを制御する目的で、このスイッチング回路制御手段２００は、ｚ個のスイッチング回路Ｃ１乃至Ｃｚに対応してｚ個の遅延回路２０２_１乃至２０２_ｚを有している。（図６には、遅延回路２０２_１、２０２_２及び２０２_ｚは示されているが、その他の遅延回路は図示省略されている）。遅延回路２０２_１は、対応するスイッチング回路Ｃ１に入力される制御信号Ｓ１を遅延させ、この遅延した制御信号Ｓ１を別の制御信号Ｓ１’として出力する。この制御信号Ｓ１’によってスイッチング回路Ｃ１のスイッチング素子ＳＷｎの開閉が行われる。その他の遅延回路２０２_２乃至２０２_zも同様のやり方で、対応するスイッチング回路Ｃ２乃至Ｃｚのスイッチング素子ＳＷｎの開閉を行うための制御信号Ｓ２’乃至Ｓz’を出力する。
【００７０】
以下に、電圧供給装置２の動作について説明する。
【００７１】
電圧供給装置２は、先ず、ソースライン群ＧＳ１のソースラインＬＳ１乃至ＬＳn-1に階調電圧を供給するために、時刻ｔ１乃至ｔ２の期間、対応する階調電圧をビデオラインＬＶ１乃至ＬＶn-1に供給する。また、電圧供給装置２は、ソースライン群ＧＳ１のソースラインＬＳnにも階調電圧を供給するために、対応する階調電圧をビデオラインＬＶｎに供給するが、ビデオラインＬＶｎには、ビデオラインＬＶ１乃至ＬＶn-1よりも遅延期間Ｐｄだけ遅れて、対応する階調電圧が供給されることに注意されたい。
【００７２】
ＤフリップフロップＦＦ１は、パルスＰ１の立ち上がりに同期して、キャリー信号Ｃarryのハイレベル電圧を取り込み、次のパルスＰ２の立ち上がるまで、ハイレベル電圧を出力し続ける。従って、時刻ｔ１乃至ｔ２の期間、制御信号Ｓ１はハイレベル電圧を有し、この結果、スイッチング回路Ｃ１のスイッチング素子ＳＷ１乃至ＳＷn-1はオン状態になる。ソースライン群ＧＳ１のソースラインＬＳ１乃至ＬＳn-1は、このオン状態のスイッチング素子ＳＷ１乃至ＳＷn-1を通じてビデオラインＬＶ１乃至ＬＶn-1に接続されたローインピーダンス状態ＬＩになる（図６参照）。従って、ソースライン群ＧＳ１のソースラインＬＳ１乃至ＬＳn-1は、ビデオラインＬＶ１乃至ＬＶn-1から対応する階調電圧が供給される。この制御信号Ｓ１は、スイッチング回路Ｃ１だけでなく遅延回路２０２_１にも入力される。この遅延回路２０２_１は、制御信号を遅延期間Ｐｄだけ遅延させ、この遅延した制御信号Ｓ１を制御信号Ｓ１’として出力する。従って、スイッチング素子ＳＷｎは、スイッチング素子ＳＷ１乃至ＳＷn-1よりも遅延期間Ｐｄだけ遅れてオン状態になり、この結果、ソースライン群ＧＳ１のソースラインＬＳｎは、ソースライン群ＧＳ１のソースラインＬＳ１乃至ＬＳn-1よりも、遅延期間Ｐｄだけ遅れてローインピーダンス状態ＬＩになる（図６参照）。
【００７３】
次に、ソースライン群ＧＳ２のソースラインＬＳ１乃至ＬＳn-1に階調電圧を供給するために、時刻ｔ２乃至ｔ３の期間、ビデオラインＬＶ１乃至ＬＶn-1に、対応する階調電圧を供給する。従って、ビデオラインＬＶ１乃至ＬＶn-1には、時刻ｔ１乃至ｔ２において、ソースライン群ＧＳ１用の階調電圧が供給されるが、時刻ｔ２乃至ｔ３において、隣りのソースライン群ＧＳ２用の階調電圧が供給される。しかしながら、ビデオラインＬＶｎには、時刻ｔ２よりも遅延期間Ｐｄだけ遅い時刻ｔ２’までソースライン群ＧＳ１に属するソースラインＬＳｎ用の階調電圧が供給されることに注意されたい。この理由については後述する。
【００７４】
また、時刻ｔ２において、制御信号Ｓ１はハイレベル電圧からローレベル電圧に変化するので、スイッチング回路Ｃ１のスイッチング素子ＳＷ１乃至ＳＷn-1はオン状態からオフ状態に変化する。従って、ソースライン群ＧＳ１のソースラインＬＳ１乃至ＬＳn-1は、ビデオラインＬＶ１乃至ＬＶn-1から切り離されたハイインピーダンス状態ＨＩになる。この結果、時刻ｔ２乃至ｔ３の期間にビデオラインＬＶ１乃至ＬＶn-1に供給されているソースライン群ＧＳ２用の階調電圧が、ソースライン群ＧＳ１のソースラインＬＳ１乃至ＬＳn-1に供給されることが防止される。
【００７５】
また、時刻ｔ２において、制御信号Ｓ２がローレベル電圧からハイレベル電圧に変化するので、スイッチング回路Ｃ２のスイッチング素子ＳＷ１乃至ＳＷn-1はオフ状態からオン状態に変化する。ソースライン群ＧＳ２のソースラインＬＳ１乃至ＬＳn-1は、オン状態のスイッチング素子ＳＷ１乃至ＳＷn-1を通じてビデオラインＬＶ１乃至ＬＶn-1に接続されたローインピーダンス状態ＬＩになる。従って、ソースライン群ＧＳ２のソースラインＬＳ１乃至ＬＳn-1は、ビデオラインＬＶ１乃至ＬＶn-1から対応する階調電圧が供給される。
【００７６】
ここで、時刻ｔ２において、制御信号Ｓ２はローレベル電圧からハイレベル電圧に変化するが、遅延信号Ｓ１’は時刻ｔ２よりも遅延期間Ｐｄだけ遅れて、ハイレベル電圧からローレベル電圧に変化することに注意されたい。従って、スイッチング回路Ｃ１のスイッチング素子ＳＷｎは、時刻ｔ２を経過しても時刻ｔ２’まではオン状態を保つ。この結果、ソースライン群ＧＳ１のソースラインＬＳnは、時刻ｔ１’乃至ｔ２’の期間にわたって、ビデオラインＬＶｎに接続されたローインピーダンス状態ＬＩになり、ソースライン群ＧＳ１のソースラインＬＳnに、ビデオラインＬＶｎから対応する階調電圧が供給される。つまり、ソースライン群ＧＳ２のソースラインＬ１が、時刻ｔ２において、ハイインピーダンス状態ＨＩからローインピーダンス状態ＬＩに完全に切り替わるまでの間、ソースライン群ＧＳ１のソースラインＬＳｎにはビデオラインＬＶｎから対応する階調電圧が供給され続ける。従って、ソースライン群ＧＳ２のソースラインＬ１がローインピーダンス状態ＬＩになった瞬間に（時刻ｔ２）、クロストークによってソースライン群ＧＳ１のソースラインＬＳｎの電圧が変動しても、ソースライン群ＧＳ１のソースラインＬＳｎの電圧は、瞬時に元の階調電圧に戻る。このようにして、クロストークによる画像劣化が防止される。尚、上記の遅延期間Ｐｄは、クロストークにより変動したソースラインＬＳｎ上の電圧が元の階調電圧に戻るには、ソースラインＬＳｎに対応する階調電圧をどのくらいの時間供給しなければならないのかという観点から決定すればよい。
【００７７】
また、時刻ｔ２’乃至時刻ｔ３’の期間には、ビデオラインＬＶｎに、ソースライン群ＧＳ２のソースラインＬＳｎ用の階調電圧が供給される。時刻ｔ２’において、制御信号２’はローレベル電圧からハイレベル電圧に変化するので、スイッチング回路Ｃ２のスイッチング素子ＳＷｎはオフ状態からオン状態に変化する。ソースライン群ＧＳ２のソースラインＬＳｎは、このオン状態のスイッチング素子ＳＷｎを通じてビデオラインＬＶｎに接続されたローインピーダンス状態ＬＩになる。従って、ソースライン群ＧＳ２のソースラインＬＳｎは、ビデオラインＬＶｎから対応する階調電圧が供給される。
【００７８】
他のソースライン群ＧＳ３乃至ＧＳｚにも、同様のやり方で、対応する階調電圧が供給される。従って、隣接するソースライン群の間でのクロストークによる画像劣化が防止される。
【００７９】
尚、図５に示す電圧供給装置２では、クロストークによる画像劣化を防止する目的で、ビデオラインＬＶｎに、他のビデオラインＬＶ１乃至ＬＶn-1に対して遅延期間Ｐｄだけ遅れて、対応する階調電圧が供給される。従って、最後のソースライン群ＧＳｚに階調電圧を供給する場合も、対応するスイッチング回路Ｃｚ内のスイッチング素子ＳＷｎを他のスイッチング素子ＳＷ１乃至ＳＷn-1よりも遅延期間Ｐｄだけ遅れてオン状態にする必要がある。このような理由から、図５に示す電圧供給装置２は、最後のスイッチング回路Ｃｚに対応して遅延回路２０２_ｚを備え、最後のスイッチング回路Ｃｚのスイッチング素子を２つの制御信号Ｓｚ及びＳｚ’で制御している。従って、スイッチング回路Ｃｚでは、スイッチング素子ＳＷ１乃至ＳＷn-1は時刻ｔz+1においてオン状態からオフ状態に変化するのに対して、スイッチング素子ＳＷｎは時刻ｔz+1よりも遅延期間Ｐｄだけ遅れた時刻ｔz+1’においてオン状態からオフ状態に変化する。ただし、最後のソースライン群ＧＳｚは、他のソースライン群ＧＳ１乃至ＧＳz-1と異なって、クロストークの原因となるソースライン群は存在しないので、スイッチング回路Ｃｚでは、スイッチング素子ＳＷｎを他のスイッチング素子ＳＷ１乃至ＳＷn-1と同じ時刻ｔz+1においてオン状態からオフ状態に変化させてもよい。
【００８０】
また、図５の電圧供給装置２では、シフトレジスタ２１から出力される制御信号を利用してスイッチング素子ＳＷｎを制御するための制御信号Ｓ１’、Ｓ２’、・・・を生成している。しかしながら、これら制御信号Ｓ１’、Ｓ２’、・・・は、シフトレジスタ２１から出力される信号を利用して生成する必要は無い。スイッチング素子ＳＷｎをその他のスイッチング素子ＳＷ１乃至ＳＷn-1に対して独立に制御できるのであれば、スイッチング素子ＳＷｎを制御するための制御信号Ｓ１’、Ｓ２’、・・・は、どのようなやり方で生成してもよい。
【００８１】
尚、上記の第１及び第２実施形態では、本発明の電圧供給装置を画像表示装置に適用しているが、本発明の電圧供給装置は、クロストークによりライン上の電圧が所望の電圧からずれてしまうことを防止する必要がある装置であれば、画像表示装置以外にも適用できることに注意されたい。
【００８２】
クロストークによりライン上の電圧が所望の電圧からずれてしまうことを防止する必要がある装置、例えば液晶表示装置等の画像表示装置に利用することができる。
【図面の簡単な説明】
【００８３】
【図１】従来の電圧供給装置１００の一例を示す概略構成図である。
【図２】図１に示す従来の電圧供給装置１００のタイミングチャートを示す。
【図３】画像表示装置に適用された本発明の第１実施例の電圧供給装置１を示す概略構成図である。
【図４】図３に示す電圧供給装置１のタイミングチャートを示す。
【図５】画像表示装置に適用された本発明の第２実施形態の電圧供給装置２を示す概略構成図である。
【図６】図５に示す電圧供給装置２のタイミングチャートを示す。
【図１】
2007501949.tif 000003
【図２】
2007501949.tif 000004
【図３】
2007501949.tif 000005
【図４】
2007501949.tif 000006
【図５】
2007501949.tif 000007
【図６】
2007501949.tif 000008
【国際調査報告】
2007501949.tif 000009
2007501949.tif 000010